(57)【要約】【課題】移動体通信網をはじめとする狭帯域な通信環境においても、迅速なレスポンスを行うシンクライアントシステム及びその通信方法を提供する。【解決手段】シンクライアント端末３上に表示されるＧＵＩでの操作をサーバ１上で実行されるアプリケーション１２へ送信し、この操作に基づいてアプリケーション１２が実行され、実行結果がシンクライアント端末３に送信され、シンクライアント端末３上に表示されているＧＵＩに反映される。この際、サーバ１とシンクライアント端末３との間で行う通信において、ＧＵＩコンポーネント単位でコマンドを定義し、ＧＵＩコンポーネントのプロパティ値及びＧＵＩコンポーネントに対するユーザの操作を表すコマンドを通信することにより、サーバ１とシンクライアント端末３との間で通信されるデータ量を削減し、迅速なＧＵＩのレスポンスを実現でき、効率的に作業を行うことができる。【選択図】図１
2005228227.tif 000002
【特許請求の範囲】
【請求項１】
アプリケーションプログラムを実行するコンピュータ装置からなるサーバと、前記サーバとの間で通信を行い、前記サーバ上で実行されるアプリケーションプログラムのグラフィックユーザインタフェース（ＧＵＩ）を表示すると共に該ＧＵＩへユーザによって加えられた変更を前記サーバに送信するコンピュータ装置からなるシンクライアント端末とから構成されるシンクライアントシステムであって、
前記サーバは、
前記ＧＵＩコンポーネントの属性を、コンポーネント単位で定義されたコマンドに変換する手段と、
前記属性に対応するコマンドを前記シンクライアント端末に送信する手段と、
前記シンクライアント端末から受信したコマンドに対応する属性に基づいて前記アプリケーションプログラムを実行する手段とを有し、
前記シンクライアント端末は、
前記ＧＵＩコンポーネントの属性を、各コンポーネント単位で定義されたコマンドに変換する手段と、
前記サーバから受信したコマンドに対応する属性に基づいてＧＵＩを表示する手段と、
ユーザの操作によって変更されたＧＵＩコンポーネントの属性に対応するコマンドを前記サーバに送信する手段とを有する
ことを特徴とするシンクライアントシステム。
【請求項２】
前記サーバは、変更したＧＵＩコンポーネントの属性に対応するコマンドのみを前記シンクライアント端末に送信する手段を有する
ことを特徴とする請求項１記載のシンクライアントシステム。
【請求項３】
前記シンクライアント端末は、ユーザの操作によって変更されたＧＵＩコンポーネントの属性をトリガとして前記サーバ上のアプリケーションプログラムが何らかの処理を行う記述を行っている場合のみ、該属性に対応するコマンドを前記サーバに送信する手段を有する
ことを特徴とする請求項１又は２記載のシンクライアントシステム。
【請求項４】
アプリケーションプログラムを実行するコンピュータ装置からなるサーバと、前記サーバとの間で通信を行い、前記サーバ上で実行されるアプリケーションプログラムのグラフィックユーザインタフェース（ＧＵＩ）を表示すると共に該ＧＵＩへユーザによって加えられた変更を前記サーバに送信するコンピュータ装置からなるシンクライアント端末とから構成されるシンクライアントシステムの通信方法であって、
前記サーバと前記シンクライアント端末のそれぞれは、前記ＧＵＩコンポーネント単位で属性に対応付けて定義されたコマンドを記憶しており、
前記サーバは、前記ＧＵＩコンポーネントの属性を、前記コンポーネント単位で定義されたコマンドに変換し、前記属性に対応するコマンドを前記シンクライアント端末に送信すると共に、前記シンクライアント端末から受信したコマンドに対応する属性に基づいて前記アプリケーションプログラムを実行し、
前記シンクライアント端末は、前記ＧＵＩコンポーネントの属性を、各コンポーネント単位で定義されたコマンドに変換し、ユーザの操作によって変更されたＧＵＩコンポーネントの属性に対応するコマンドを前記サーバに送信すると共に、前記サーバから受信したコマンドに対応する属性に基づいてＧＵＩを表示する
ことを特徴とする通信方法。
【請求項５】
前記サーバは、変更のあったＧＵＩコンポーネントにおける変更のあった属性に対応するコマンドのみを前記シンクライアント端末に送信する
ことを特徴とする請求項４記載の通信方法。
【請求項６】
前記シンクライアント端末は、ユーザのＧＵＩコンポーネントへの操作に対して、前記サーバ上のアプリケーションプログラムが前記操作をトリガとして、何らかの処理を行う記述を行っている場合のみ、前記操作の情報をサーバへ送信する
ことを特徴とする請求項４又は５記載の通信方法。
【発明の詳細な説明】
【技術分野】
【０００１】
本発明は、サーバ上でアプリケーションプログラムを実行し、サーバとネットワーク通信によって接続されたシンクライアント端末からサーバ上のアプリケーションを操作する、シンクライアントシステムまたはサーバベースコンピューティングと呼ばれる技術分野に関する。
【背景技術】
【０００２】
近年、携帯電話の普及により、携帯電話上でアプリケーションを実行する要求が高まっている。しかし、携帯電話の処理能力は乏しく、別のサーバ上でアプリケーションプログラムを実行し、携帯電話上からその操作を行うシンクライアントシステムが注目されている。しかし、携帯電話は、その通信特性から高遅延かつ狭帯域で、シンクライアントシステムには適さない通信網を備えている。
【０００３】
従来、シンクライアントシステムは、Ｍｉｃｒｏｓｏｆｔ社のＴｅｒｍｉｎａｌ  Ｓｅｒｖｉｃｅや、Ｃｉｔｒｉｘ社のＭｅｔａ  Ｆｒａｍｅをはじめとして、サーバとシンクライアント端末間で、画素をやり取りする手法が主流である。これは、サーバ上で実行されるアプリケーションの画面を、画素単位でシンクライアント端末に送信する方式であり、シンクライアント端末側では、画素の情報を受信した後、それをそのまま表示するだけでよい。また、変更のあった画素のみを送信するなどして、データ量の削減を図っている。
【非特許文献１】http://www.keyman.or.jp/search/30000031＿1.html（サーバベースコンピューティング）
【発明の開示】
【発明が解決しようとする課題】
【０００４】
しかし、上記の画素をやり取りする手法を用いたシンクライアントシステムでは、移動体通信網等の狭帯域な通信環境においては、非常にデータ量が多くなるので迅速なレスポンスを期待できないという問題点があった。
【０００５】
本発明の目的は、狭帯域な通信環境においてサーバとシンクライアント端末が接続されたシンクライアントシステムにおいても、常に、ユーザが効率よく作業を行えるように、ＧＵＩの迅速なレスポンスを実現したシンクライアントシステム及びその通信方法を提供することである。
【課題を解決するための手段】
【０００６】
上記目的を達成するために、本発明のシンクライアントシステムは、アプリケーションプログラムを実行するコンピュータ装置からなるサーバと、前記サーバとの間で通信を行い、前記サーバ上で実行されるアプリケーションプログラムのグラフィックユーザインタフェース（ＧＵＩ）を表示すると共に該ＧＵＩへユーザによって加えられた変更を前記サーバに送信するコンピュータ装置からなるシンクライアント端末とから構成されるシンクライアントシステムにおいて、前記サーバと前記シンクライアント端末のそれぞれは、前記ＧＵＩコンポーネント単位で属性に対応付けて定義されたコマンドを記憶しており、前記サーバは、前記ＧＵＩコンポーネントの属性を、前記コンポーネント単位で定義されたコマンドに変換し、前記属性に対応するコマンドを前記シンクライアント端末に送信すると共に、前記シンクライアント端末から受信したコマンドに対応する属性に基づいて前記アプリケーションプログラムを実行し、前記シンクライアント端末は、前記ＧＵＩコンポーネントの属性を、各コンポーネント単位で定義されたコマンドに変換し、ユーザの操作によって変更されたＧＵＩコンポーネントの属性に対応するコマンドを前記サーバに送信すると共に、前記サーバから受信したコマンドに対応する属性に基づいてＧＵＩを表示する。
【０００７】
上記構成よりなる本発明のシンクライアントシステムでは、一つのアプリケーションに使用されるＧＵＩコンポーネントの数は、画素の数に比べてはるかに少なく、また、ＧＵＩコンポーネントの種類の数も少ないため、サーバとシンクライアント端末との間の通信に必要なビット数が抑えられ、従来例のような画素を通信する方式に比べて、通信するデータ量を大幅に削減できる。
【０００８】
また、本発明によれば、サーバとシンクライアント端末間の通信方式において、ＧＵＩコンポーネントの属性が、ユーザの操作等により変更された場合に、変更された部分のみを送信するので、必要な部分のみ送信することになり、通信に必要なデータ量を削減できる。
【０００９】
さらに、本発明によれば、シンクライアント端末は、ＧＵＩコンポーネントに対するユーザのある操作に対して、アプリケーションプログラムに前記操作をトリガとして何らかの処理を行う記述がある場合のみ、ＧＵＩコンポーネントに対するユーザの操作に対応するコマンドをサーバへ送信するため、アプリケーションで処理を記述していないユーザイベントを送信しないので、通信に必要なデータ量を削減できる。
【発明の効果】
【００１０】
本発明は、狭帯域な通信環境でサーバとシンクライアント端末が接続されたシンクライアントシステムの、サーバとシンクライアント端末との間の通信方式において、ＧＵＩコンポーネント単位でその属性に対応したコマンドを定義し、ＧＵＩコンポーネントの属性値を送受信することにより、サーバとシンクライアント端末間でやりとりされるデータ量を削減し、狭帯域な通信環境においても、迅速なレスポンスを備えるＧＵＩを実現し、ユーザが効率的に作業を行うことができるという非常に優れた効果を奏する。
【００１１】
また、ユーザの操作等により、ＧＵＩコンポーネントの属性値に変更があった場合は、変更があったＧＵＩコンポーネントの属性値のみをやりとりすることにより、さらにサーバとシンクライアント端末間でやりとりされるデータ量を削減し、狭帯域な通信環境においても、迅速なレスポンスを備えるＧＵＩを実現し、ユーザが効率的に作業を行うことができる。
【００１２】
また、ユーザがＧＵＩコンポーネントに対して何らかの操作を行った際、サーバ上のアプリケーションが、その操作をトリガとして何らかの処理を行うかどうかを判断し、行わない場合は、ユーザイベントをサーバに送信しないことにより、通信回数を削減し、サーバとシンクライアント端末間で送受信されるデータ量を削減できる。
【発明を実施するための最良の形態】
【００１３】
次に、本発明の実施の形態について図面を用いて説明する。図１は、本発明によるシンクライアントシステムの一実施形態を示す図である。
【００１４】
図１のように、本シンクライアントシステムは、アプリケーションプログラム（以下、単にアプリケーションと称する）が実行されるサーバ１と、ユーザにグラフィックユーザインタフェース（以下、ＧＵＩと称する）を表示するシンクライアント端末３とが、狭帯域な通信網２を介して接続されている。
【００１５】
サーバ１は、周知のコンピュータ装置及びオペレーティングシステムプログラムを主体として構成され、コマンド生成解析機能部１１と、複数のＧＵＩコンポーネントを含むサーバ１上で実行されるアプリケーション１２を備えている。
【００１６】
コマンド生成解析機能部１１には、各ＧＵＩコンポーネント１３のプロパティ（属性）をプロパティ毎にコマンドと対応付けたテーブルが予め記憶されている。このテーブルを用いて、コマンド生成解析機能部１１は、通信網２を介してシンクライアント端末３から受信したコマンドを解析してこのコマンドに対応するＧＵＩコンポーネントとそのプロパティをアプリケーション１２に伝達すると共に、アプリケーション１２から受け取った、ＧＵＩコンポーネント１３のプロパティをコマンドに変換した後、このコマンドを通信網２を介してシンクライアント端末３に送信する。
【００１７】
アプリケーション１２は、コマンド生成解析機能部１１から伝達されたＧＵＩコンポーネント１３のプロパティに基づいて実行を継続すると共に、変更したＧＵＩコンポーネント１３のプロパティをコマンド生成解析機能部１１に送出する。
【００１８】
シンクライアント端末３は、周知のようにハードディスク装置やフレキシブルディスク装置を持たないコンピュータ装置からなり、コマンド生成解析機能部３１とユーザインタフェース部３２とを備えている。
【００１９】
コマンド生成解析機能部３１には、各ＧＵＩコンポーネント１３のプロパティ（属性）をプロパティ毎にコマンドと対応付けた上記と同様のテーブルが予め記憶されている。このテーブルを用いて、コマンド生成解析機能部３１は、通信網２を介してサーバ１から受信したコマンドを解析してこのコマンドに対応するＧＵＩコンポーネントとそのプロパティをユーザインタフェース部３２に伝達すると共に、ユーザインタフェース部３２から受け取った、ＧＵＩコンポーネントのプロパティをコマンドに変換した後、このコマンドを通信網２を介してサーバ１に送信する。
【００２０】
ユーザインタフェース部３２は、図示せぬ操作部と表示部を備え、コマンド生成解析機能部３１から受け取ったＧＵＩコンポーネントのプロパティに基づいて表示部にＧＵＩを表示すると共に、操作部を介してユーザが行った操作により変更されたＧＵＩコンポーネントのプロパティをコマンド生成解析機能部３１に送出する。
【００２１】
上記システムにおいて、シンクライアント端末３では、サーバ１上で実行されるアプリケーション１２の実行結果を表すＧＵＩコンポーネントのプロパティに基づいて、ユーザインタフェース部３２を介してユーザに対してＧＵＩを表示する。また、シンクライアント端末３は、ユーザインタフェース部３２の表示部に表示されたＧＵＩに対するユーザの操作を受け取り、その操作内容を狭帯域な通信網２を介してサーバ１に送信する。これを受信したサーバ１は、サーバ１上で実行されているアプリケーション１２にユーザの操作を伝え、ユーザの操作に基づいてアプリケーション１２が実行される。
【００２２】
サーバ１上のコマンド生成解析機能部１１は、シンクライアント端末３から初めてアクセスされた場合等、サーバ１上で実行されているアプリケーション１２の内部状態を全て、シンクライアント端末３へ送信する必要がある場合は、アプリケーション１２内に存在する各ＧＵＩコンポーネント１３のプロパティ値をシンクライアント端末３へ送信する。
【００２３】
一方、サーバ１上のコマンド生成解析機能部１１は、ユーザが何らかの操作を行い、アプリケーション１２の状態が変更になった等、アプリケーション１２の内部状態のうち変更のあった部分だけを、シンクライアント端末３へ送信する必要がある場合は、アプリケーション１２内に存在する各ＧＵＩコンポーネント１３のうち、変更のあったＧＵＩコンポーネントのみに関して、そのＧＵＩコンポーネントがもつプロパティ値のうち、変更のあったプロパティ値のみを、シンクライアント端末３へ送信する。
【００２４】
また、シンクライアント端末３は、ユーザがボタンを押す等の何らかの操作を行った場合、サーバ１上で実行されているアプリケーション１２に、その操作をトリガとして何らかの処理を行う記述がある場合のみ、ユーザの行った操作を、サーバ１に送信する。
【００２５】
図２は、シンクライアント端末３から初期アクセスを受けた場合の、サーバ１のコマンド生成解析機能部１１の動作を表したフローチャート図である。
【００２６】
初期アクセスの場合、全てのＧＵＩコンポーネント１３の全てのプロパティ値をシンクライアント端末３に送信する必要がある。このため、初期アクセスを受けたサーバ１上のコマンド生成解析機能部１１は、まず、サーバ１上で実行されているアプリケーション１２が持っている全てのＧＵＩコンポーネント１３をリストアップする（Ｓ１１）。次に、リストアップしたＧＵＩコンポーネント１３をひとつずつ調査していく（Ｓ１２）。
【００２７】
次いで、リストから一つのＧＵＩコンポーネント１３を取り出し、そのＧＵＩコンポーネント１３が持っているプロパティ値を逐次取得し（Ｓ１３）、それをコマンドに変換し、シンクライアント端末３に送信する（Ｓ１４）。この操作を、リストアップした全ＧＵＩコンポーネント１３に対して行う。尚、コマンドの送信は、通信回数の削減のため、一定量まとめて行う場合もある。
【００２８】
図３は、シンクライアント端末３から、ユーザインタフェース３２に表示されたＧＵＩに対するユーザの操作（以下、ユーザイベントと称する）を、サーバ１が受信した場合の、サーバ１のコマンド生成解析機能部１１の動作を表したフローチャート図である。
【００２９】
この場合、サーバ１上のコマンド生成解析機能部１１は、ユーザイベントによって変更のあったＧＵＩコンポーネントの、変更のあったプロパティ値のみを、シンクライアント端末３に送信する。
【００３０】
まず、サーバ１上のコマンド生成解析機能部１１は、シンクライアント端末３からユーザイベントを表すコマンドを受信する（Ｓ２１）。次に、そのユーザ一イベントが起きたことにより影響をうける、つまりＧＵＩコンポーネント１３のプロパティ値が変更される、ＧＵＩコンポーネント１３を特定する（Ｓ２２）。次に、ユーザイベントに従ってアプリケーション１２を実行し、ＧＵＩコンポーネント１３の実行後のプロパティ値を変更する（Ｓ２３）。そして、変更のあったプロパティ値をコマンドに変換し、シンクライアント端末３に送信する（Ｓ２４）。尚、コマンドの送信は、通信回数の削減のため、一定量まとめて行う場合もある。
【００３１】
上記のように本システムにおいては、サーバ１とシンクライアント端末３との間の通信において、ＧＵＩコンポーネント１３単位でそのプロパティに対応したコマンドを定義し、ＧＵＩコンポーネント１３のプロパティ値を送受信することにより、サーバ１とシンクライアント端末３との間でやりとりされるデータ量を削減し、狭帯域な環境においても、迅速なレスポンスを備えるＧＵＩを実現し、ユーザが効率的に作業を行うことができる。
【００３２】
また、サーバ１とシンクライアント端末３との間の通信において、ＧＵＩコンポーネント１３のプロパティ値が、ユーザの操作等により変更された場合に、変更された部分のみを送信するので、通信に必要なデータ量を削減することができる。
【００３３】
さらに、シンクライアント端末３は、ＧＵＩコンポーネント１３に対するユーザのある操作に対して、アプリケーション１２にユーザイベントをトリガとして何らかの処理を行う記述がある場合のみ、ＧＵＩコンポーネント１３に対するユーザイベントに対応するコマンドをサーバ１へ送信するため、アプリケーション１２で処理を記述していないユーザイベントを送信しない分、通信に必要なデータ量を削減することができる。
【実施例１】
【００３４】
図４は、本発明の具体的な一実施例を示す概略構成図である。本実施例では、データセンター４２内にあるサーバ４３上で管理されている自身のアプリケーション４４に対して、携帯電話をシンクライアント端末４１として用いて、いつどこからでもアプリケーション４４の遠隔操作を可能にしたものである。また、シンクライアント端末４１とデータセンター４２のサーバとの間は、狭帯域な移動体通信網４５とインターネット４６を経由して接続されている。
【００３５】
サーバ４３上のコマンド生成解析機能部（図示せず）は、サーバ４３上で実行されているアプリケーション４４が持っているＧＵＩコンポーネント群を管理しており、ＧＵＩコンポーネントの各プロパティ値に変更があった際には、変更があったプロパティ値のみをシンクライアント端末４１へ送信する。
【００３６】
また、シンクライアント端末４１は、ユーザからの操作を受け付け、サーバ４３上で実行されているアプリケーション４４に、その操作をトリガとして何らかの処理を実行する記述がされている場合に、そのユーザの操作をコマンドに変換し、データセンター４２内のサーバ４３に送信する。
【００３７】
以下、具体的な操作例を用いて説明する。
【００３８】
図５は、シンクライアント端末４１の表示部に表示されたＧＵＩの画面５０の一例を示す図である。この画面５０は、ある設定値を、現在設定されている１という値から、新しく１０という値に変更する確認を促している。
【００３９】
画面５０には、現在の設定値を表示するＴｅｘｔＢｏｘ５１と、新しい値を入力するＴｅｘｔＢｏｘ５２と、変更ボタン５３と、戻るボタン５４が配置されている。
【００４０】
ユーザが変更ボタン５３を押した場合、ＴｅｘｔＢｏｘ５２に入力されている値が、ＴｅｘｔＢｏｘ５１に設定され、ＴｅｘｔＢｏｘ５２には、０が設定される。
【００４１】
ここで、ユーザが変更ボタン５３を押した場合について説明する。ユーザが変更ボタン５３を押すと、前述の通り、図６の画面に遷移する。つまり、現在の設定値を入れているＴｅｘｔＢｏｘ５１の値が、新しい値を入力するＴｅｘｔＢｏｘ５２に設定されている値１０に変更され、新しい値を入力するＴｅｘｔＢｏｘ５２に０が設定される。ここで、ＴｅｘｔＢｏｘ５１、ＴｅｘｔＢｏｘ５２、変更ボタン５３、及び変更ボタン５４のそれぞれが、ＧＵＩコンポーネントである。
【００４２】
図５の画面において、ユーザが変更ボタン５３を押した場合、まず、変更ボタン５３が押されたというユーザイベントを、シンクライアント端末４１が受け取り、シンクライアント端末４１は、変更ボタン５３が押されることをトリガとして、サーバ４３上のアプリケーション４４が何らかの処理を行うかどうかを調べる。ＧＵＩコンポーネントのひとつである変更ボタン５３には、サーバ４３上のアプリケーション４４が、変更ボタン５３が押されることをトリガとして何らかの処理を行うかどうかを表すプロパティ値が存在し、シンクライアント端末４１は、このプロパティ値を見て判断する。
【００４３】
サーバ４３上のアプリケーション４４が、変更ボタン５３が押されることをトリガとして、何らかの処理を行わない場合は、シンクライアント端末４１は、変更ボタン５３が押されたというユーザイベントをサーバ４３には送信しない。
【００４４】
一方、サーバ４３上のアプリケーション４４が、変更ボタン５３が押されることをトリガとして、何らかの処理を行う場合は、シンクライアント端末４１は、シンクライアント端末４１上のコマンド生成解析機能部によって、変更ボタン５３が押されたという情報をコマンド化し、生成されたコマンドをサーバ４３に送信する。
【００４５】
シンクライアント端末４１からコマンドを受信したサーバ４３は、サーバ４３上のコマンド生成解析機能部によって、コマンドを解析し、ユーザが変更ボタン５３を押したというメッセージを、サーバ４３上で実行されているアプリケーション４４に対して通知する。アプリケーション４４は、自身のアプリケーションプログラムに従って変更ボタン５３が押された場合の処理を実行する。この場合は、ＴｅｘｔＢｏｘ５１にＴｅｘｔＢｏｘ５２の値を設定し、ＴｅｘｔＢｏｘ５２に新たに０を設定する。
【００４６】
ここで、ＧＵＩコンポーネントであるＴｅｘｔＢｏｘ５１及びＴｅｘｔＢｏｘ５２のプロパティ値に変更が生じたため、サーバ４３は、変更があったＧＵＩコンポーネントのＴｅｘｔＢｏｘ５１とＴｅｘｔＢｏｘ５２の変更のあったプロパティ値、つまり、ＴｅｘｔＢｏｘ５１とＴｅｘｔＢｏｘ５２に設定されている文字列を、コマンド生成解析機能部によってコマンド化し、シンクライアント端末４１に送信する。
【００４７】
シンクライアント端末４１では、シンクライアント端末４１上のコマンド生成解析機能部が、サーバ４３から送信されたコマンドを解析することにより、ＴｅｘｔＢｏｘ５１とＴｅｘｔＢｏｘ５２の表示文字列に変更があったことを認識し、ＴｅｘｔＢｏｘ５１とＴｅｘｔＢｏｘ５２のプロパティ値を変更して画面に表示する。
【図面の簡単な説明】
【００４８】
【図１】本発明のシンクライアントシステムの一実施例の構成を示すブロック図である。
【図２】本発明のシンクライアントシステムにおいて、シンクライアント端末から初期アクセスを受けた場合の、サーバのコマンド生成機能の動作を表したフローチャート図である。
【図３】本発明のシンクライアントシステムにおいて、シンクライアント端末から、ＧＵＩに対するユーザの操作を受信した場合の、サーバのコマンド生成機能の動作を表したフローチャート図である。
【図４】本発明のシンクライアントシステムの一実施例である、携帯電話からデータセンター内のサーバ上のアプリケーションを遠隔操作する図である。
【図５】本発明のシンクライアントシステムにおける、画面の一例である。
【図６】本発明のシンクライアントシステムにおける、画面の一例である。
【符号の説明】
【００４９】
１…サーバ、２…狭帯域な通信網、３…シンクライアント端末、１１…コマンド生成解析機能、１２…アプリケーション、１３…ＧＵＩコンポーネント、３１…コマンド生成解析機能、３２…ユーザインターフェース、４１…シンクライアント端末、４２…データセンター、４３…サーバ、４４…アプリケーション、４５…移動体通信網、４６…インターネット、５０…画面例、５１…ＴｅｘｔＢｏｘ、５２…ＴｅｘｔＢｏｘ、５３…変更ボタン、５４…キャンセルボタン。
【図１】
2005228227.tif 000003
【図２】
2005228227.tif 000004
【図３】
2005228227.tif 000005
【図４】
2005228227.tif 000006
【図５】
2005228227.tif 000007
【図６】
2005228227.tif 000008